(57)【要約】【課題】  処方箋情報の入力作業の省力化を図り、コメントを含む処方箋情報の略称の入力で適確な処方薬品情報を展開表示することができ、レセプト請求書へのコメントの記載の有無を判断することができる処方箋入力支援プログラムを提供することを目的とする。【解決手段】  上記の課題を解決するため、本発明は、処方箋に記載された複数の処方箋情報の略称を一行で示した略称情報を画面の一行入力領域から取得する取得手順と、上記取得手順により取得した上記略称情報と、医療機関から発行された処方箋に記載された処方箋情報に応じて、患者に提供する薬品に関する処方薬品情報が格納された処方薬品情報データベース処方薬品情報データベースとに基づいて、上記略称情報に対応する処方箋情報を抽出する抽出手順と、上記抽出手順により抽出された上記処方箋情報を上記画面の処方箋表示領域に展開表示する展開表示手順とを有する構成とされる。【選択図】  図１
2005107889.tif 000002
【特許請求の範囲】
【請求項１】
医療機関から発行された処方箋に記載された処方箋情報に応じて、患者に提供する薬品に関する処方薬品情報が格納された処方薬品情報データベースを有する処方箋入力支援装置での処理をコンピュータに行わせるための処方箋入力支援プログラムであって、
上記処方箋に記載された複数の処方箋情報の略称を一行で示した略称情報を画面の一行入力領域から取得する取得手順と、
上記取得手順により取得した上記略称情報と、上記処方薬品情報データベースとに基づいて、上記略称情報に対応する処方箋情報を抽出する抽出手順と、
上記抽出手順により抽出された上記処方箋情報を上記画面の処方箋表示領域に展開表示する展開表示手順とを有することを特徴とする処方箋入力支援プログラム。
【請求項２】
医療機関から発行された処方箋に記載された処方箋情報に応じて、患者に提供する薬品に関する処方薬品情報が格納された処方薬品情報データベースを有する処方箋入力支援装置での処理をコンピュータに行わせるための処方箋入力支援プログラムを格納した記録媒体であって、
上記処方箋に記載された複数の処方箋情報の略称を一行で示した略称情報を画面の一行入力領域から取得する取得手順と、
上記取得手順により取得した上記略称情報と、上記処方薬品情報データベースとに基づいて、上記略称情報に対応する処方箋情報を抽出する抽出手順と、
上記抽出手順により抽出された上記処方箋情報を上記画面の処方箋表示領域に展開表示する展開表示手順とを有することを特徴とする記録媒体。
【請求項３】
医療機関から発行された処方箋に記載された処方箋情報を入力する処方箋入力支援装置での処理をコンピュータに行わせるための処方箋入力支援装置であって、
上記処方箋情報に応じて患者に提供する薬品に関する処方薬品情報が格納された処方薬品情報データベースと、
上記処方箋に記載された複数の処方箋情報の略称を一行で示した略称情報を画面の一行入力領域から取得する取得手段と、
上記取得手段により取得した上記略称情報と、上記処方薬品情報データベースとに基づいて、上記略称情報に対応する処方箋情報を抽出する抽出手段と、
上記抽出手段により抽出された上記処方箋情報を上記画面の処方箋表示領域に展開表示する展開表示手段と、
上記展開表示手段により展開表示された上記処方箋情報に基づいて、上記処方箋情報のうち必要な上記処方箋に対する注意事項を示すコメントを含むレセプトデータを作成するレセプトデータ作成手段とを有することを特徴とする処方箋入力支援装置。
【発明の詳細な説明】
【技術分野】
【０００１】
本発明は処方箋入力支援プログラム及びそのプログラムを格納した記録媒体、処方箋入力支援装置に係り、特に、薬局などで調剤やレセプト作成に必要となる処方箋に記載された処方箋情報の入力を支援する処方箋入力支援プログラム及びそのプログラムを格納した記録媒体、処方箋入力支援装置に関する。
【背景技術】
【０００２】
近年、病院などの医療機関では、患者へ医師により処方された処方箋が手渡されている。患者は、この処方箋を調剤薬局に持参し、調剤薬局で処方箋に基づいて調剤された所定の薬品を受け取ることとなる。同時に、調剤薬局の薬剤師から、薬品が飲み薬の場合は服用方法、塗り薬の場合は使用方法と共に、処方箋に記載された注意事項であるコメントに基づいたアドバイスが行われている。
【０００３】
このような調剤薬局では、患者から処方箋を受け取った調剤薬局の受付端末オペレータが、処方箋に記載された患者情報や、薬品名、分量、注意事項などのコメントなどの薬品情報を入力する。この薬品情報の入力の際、マウスを使用して薬品名の頭文字から薬品名を選択する入力方法の他に、キーボードで薬品情報の最初の文字列、即ち薬品情報の略称を入力することで、薬品情報を抽出して表示させる「一行入力」という機能を有するシステムが存在する。
【０００４】
この「一行入力」機能とは、複数の薬品の略称で連続して入力することで、素早い入力を実現する機能であり、例えば、処方箋に記載される薬品名と分量が「アスパラＫ散３ｇ、メジコン散３ｇ」であれば、「アスハ  ３  メシコ  ３」という略称で入力する。
【０００５】
この「一行入力」機能を有するシステム例として、医療用コンピュータにおける治療行為に関するデータの入力ミスをより確実に検出することを目的とし、診療行為データを入力するデータ入力手段と、組み合わせて処方してはならない診療行為データに関する組み合わせ可否情報を格納する組み合わせ可否情報データベースと、組み合わせ可否情報に基づいて、入力された複数の診療行為データの各組み合わせの可否をチェックする入力データ監視手段とを有すると共に、一処方として入力された診療行為データが混在可能であるときに限ってその入力を受け付けることを特徴とする医療用コンピュータにおける入力データ鑑査方式が存在する（例えば、特許文献１）。
【０００６】
また、従来、調剤薬局の薬剤師からのアドバイスと共に、患者へのサービスとして、薬品名や数量や服用方法などのアドバイスを印刷した「お薬情報」を患者に渡す調剤薬局が増えている。更に、これらの情報に加えて薬品に対するコメントや、服用方法及び使用方法に対するコメントを「お薬情報」に印刷している。
【特許文献１】特開平９−２６５５０１号公報
【発明の開示】
【発明が解決しようとする課題】
【０００７】
従来の「一行入力」機能において、処方箋情報のうち薬品名の場合、システム上でその略称との対応を設定したマスタデータベースを用意し、更に、頻繁に使用される薬品の数が限られているため、オペレータがその略称を暗記して入力していた。しかしながら、薬品の略称を暗記することは容易であるが、コメントの場合は種類が無数にあるため、コメントの略称の全てを暗記することは不可能であり、従来は薬品の「一行入力」を行った後に、別処理でコメントを入力していた。即ち、従来技術ではコメントの略称を「一行入力」で入力することができず、処方箋情報の入力作業に時間や手間がかかってしまうという問題点があった。
【０００８】
また、調剤薬局でレセプト請求書作成時にコメント記載が必要であるか否かをオペレータが正確に判断することは難しく、また、コメント毎に判断するには手間と時間がかかってしまうという問題点があった。
【０００９】
そこで、本発明の課題は、処方箋情報の入力作業の省力化を図り、コメントを含む処方箋情報の略称の入力のみで適確な処方薬品情報を画面に展開表示することができると共に、レセプト請求書へのコメントの記載の有無を判断することができる処方箋入力支援プログラム及びそのプログラムを格納した記録媒体、処方箋入力支援装置を提供することである。
【課題を解決するための手段】
【００１０】
上記の課題を解決するため、本発明は、医療機関から発行された処方箋に記載された処方箋情報に応じて、患者に提供する薬品に関する処方薬品情報が格納された処方薬品情報データベースを有する処方箋入力支援装置での処理をコンピュータに行わせるための処方箋入力支援プログラムであって、上記処方箋に記載された複数の処方箋情報の略称を一行で示した略称情報を画面の一行入力領域から取得する取得手順と、上記取得手順により取得した上記略称情報と、上記処方薬品情報データベースとに基づいて、上記略称情報に対応する処方箋情報を抽出する抽出手順と、上記抽出手順により抽出された上記処方箋情報を上記画面の処方箋表示領域に展開表示する展開表示手順とを有する構成とされる。
【００１１】
このような処方箋入力支援プログラムにおいて、処方箋に記載された複数の処方箋情報の略称を一行で示した略称情報を画面の一行入力領域から取得し、取得した略称情報と、医療機関から発行された処方箋に記載された処方箋情報に応じて患者に提供する薬品に関する処方薬品情報が格納された処方薬品情報データベースとに基づいて、略称情報に対応する処方箋情報を抽出し、抽出された処方箋情報を画面の処方箋表示領域に展開表示することにより、処方箋情報の入力作業の省力化を図り、コメントを含む処方箋情報の略称の入力のみで適確な処方薬品情報を画面に展開表示することができると共に、レセプト請求書へのコメントの記載の有無を判断することができる。
【００１２】
また、上記課題を解決するため、本発明は、処方箋入力支援プログラムを格納した記録媒体、処方箋入力支援装置とすることもできる。
【発明の効果】
【００１３】
このような処方箋入力支援プログラムでは、処方箋に記載された複数の処方箋情報の略称を一行で示した略称情報を画面の一行入力領域から取得し、取得した略称情報と、医療機関から発行された処方箋に記載された処方箋情報に応じて患者に提供する薬品に関する処方薬品情報が格納された処方薬品情報データベースとに基づいて、略称情報に対応する処方箋情報を抽出し、抽出された処方箋情報を画面の処方箋表示領域に展開表示することにより、処方箋情報の入力作業の省力化を図り、コメントを含む処方箋情報の略称の入力のみで適確な処方薬品情報を画面に展開表示することができると共に、レセプト請求書へのコメントの記載の有無を判断することができる。
【発明を実施するための最良の形態】
【００１４】
以下、本発明の実施の形態を図面に基づいて説明する。図１は、本発明の第１実施例に係る処方箋入力支援プログラムを実行するシステム構成図である。図１において、処方箋入力支援プログラムを実行する処方箋入力支援システム１は、薬局２に設置され、病院等の医療機関１０から患者５に発行された処方箋１１の情報を入力して患者５に調剤２６、投薬２７を行うと共に、支払基金／国保連合会３０へ請求するレセプト請求書（レセプトデータ）を作成する調剤システム２０等で構成されるシステムである。
【００１５】
調剤システム２０は、薬局２の窓口に設置されたパーソナルコンピュータ（ＰＣ）等の複数の端末で構成され、ＣＰＵ（中央処理装置）によって各構成が制御される。ＣＰＵは、メモリユニットに格納された本発明の処方箋入力支援プログラムに従って処方箋入力支援処理を行う。例えば、この処方箋入力支援処理を実行するまでの過程を以下に説明すると、処方箋入力支援処理プログラムが記録された記録媒体（図示せず）から、ＰＣ内蔵のインストーラにより読み出され、その読み出されたプログラムは、例えば、補助記憶装置等にインストールされる。そして、後述される処方箋入力支援処理が起動されると、補助記憶装置にインストールされた当該プログラムに従って、ＣＰＵがその処理を開始する。尚、記録媒体は、ＣＤ−ＲＯＭなどプログラムが格納可能であり、コンピュータが読み取り可能な媒体であればよい。尚、上記処方箋入力支援処理については、図２で詳細に説明する。
【００１６】
この調剤システム２０は、主に、処方箋１１に記載された処方箋情報を、オペレータが略称で一行入力した情報から、処方箋情報を調剤システム２０の画面に展開表示する処理を行う処方箋入力処理部２１と、処方箋入力処理部２１により入力処理された情報及び処方する薬品等に関する情報が格納された処方薬品情報データベース（ＤＢ）１５と、入力された処方箋情報に基づいてレセプトを請求するまでの処理を行うレセプト前処理部処理部２２と、レセプトに関する情報が格納されたレセプトＤＢ１５０と、フロッピー（登録商標）ディスクなどの記録媒体や紙媒体へレセプトデータを出力するレセプト出力処理部２３と、処方箋情報等の帳票を出力する帳票出力処理部２４とを有する。
【００１７】
処方箋入力処理部２１は、処方箋１１に記載された処方箋情報の略称が入力されると、その略称から、処方薬品情報ＤＢ１５に格納された情報を抽出し、抽出した処方箋情報を調剤システム２０の画面に展開表示する。この時、略称に対応する処方箋情報が複数存在する場合、処方箋入力処理部２１は、複数の候補を表示した検索画面を表示する。
【００１８】
処方薬品情報ＤＢ１５は、患者に関する情報が格納された患者マスタＤＢ２００と、医者に関する情報が格納された医師マスタＤＢ２１０と、患者の薬歴情報が格納された薬歴データＤＢ２２０と、患者の保険番号等の情報が格納された患者保険マスタＤＢ２３０と、医療機関に関する情報が格納された医療機関マスタＤＢ２４０と、コメントに関する情報が格納されたコメントデータＤＢ２５０と、コメントの略称と略称に対応するコメントが格納されたコメントマスタＤＢ２６０とで構成されている。
【００１９】
レセプト前処理部処理部２２は、入力された処方箋情報、即ち、処方薬品情報ＤＢ１５に格納された情報に基づいてレセプトを生成し、レセプトＤＢ１５０に格納する。レセプトＤＢ１５０は、レセプト用の患者データが格納されたレセプト用患者データＤＢ２７０と、レセプト請求用のデータが格納されたレセプト用データＤＢ２８０とで構成されている。
【００２０】
レセプト出力処理部２３は、レセプトＤＢ１５０に格納されたレセプト情報に基づいてレセプトデータを記録媒体や紙媒体に出力する。帳票出力処理部２４は、処方薬品情報ＤＢ１５に格納された情報に基づいて帳票を出力する。また、帳票出力処理部２４により出力される窓口帳票２５には、調剤録、薬歴ラベル、手帳ラベル、お薬情報、薬袋ラベル、薬歴簿、薬歴情報、領収証などがある。
【００２１】
処方箋入力支援処理を含む一連の処理を以下に説明すると、先ず、患者が医療機関１０の医事会計システムにより発行された処方箋１１を薬局２へ持参する。薬局の受付オペレータは、調剤システム２０のキーボード等の入力ユニットにより、ディスプレイ等の画面の一行入力領域に、入力処方箋１１に記載された処方箋情報の略称を入力する。調剤システム２０の処方箋入力処理部２１は、処方薬品情報ＤＢ１５に格納された情報に基づいて、画面の処方箋表示領域に、略称に対応する処方箋情報を展開表示する。処方箋入力処理部２１は、入力の完了を認識すると、入力された処方箋情報を処方薬品情報ＤＢ１５に格納する。同時に帳票出力処理部２４は、入力された処方箋情報などの窓口帳票を紙媒体に出力する。薬局２の薬剤師は、コメントなどが記載された窓口帳票２５に基づいて調剤２６し、調剤した薬を患者５へ投薬２７する。このとき、薬と共に窓口帳票２５が患者５へ手渡される。
【００２２】
一方、レセプト前処理部２２により、処方薬品情報ＤＢ１５に基づいてレセプトデータが作成され、レセプトＤＢ１５０に格納される。支払基金／国保連合会３０へレセプト請求する場合、レセプト出力処理部２３は、レセプトＤＢ１５０に格納されたレセプトデータを記録媒体又は紙媒体で出力し、請求処理を行う。
【００２３】
このように、医療機関１０から発行された処方箋１１に記載された処方箋情報の略称を画面の一行入力領域に入力し、処方薬品情報ＤＢ１５に基づいて、略称情報に対応する処方箋情報を抽出して画面の処方箋表示領域に展開表示することにより、処方箋情報の入力作業の省力化を図り、コメントを含む処方箋情報の略称の入力のみで適確な処方薬品情報を画面に展開表示することができると共に、レセプト請求書へのコメントの記載の有無を判断することができる。
【００２４】
次に、調剤システム２０で実行される処方箋入力支援処理について説明する。図２は、処方箋入力支援処理のフローチャートを示す図である。図２において、先ず、ステップＳ１０の処理で、調剤システム２０の処方箋入力処理部２１は、処方薬品情報ＤＢ１５に基づいて過去来局実績を確認する。ステップＳ１０の処理で過去来局実績がある場合、ステップＳ１１の処理で、処方箋入力処理部２１は、処方薬品情報ＤＢ１５に基づいて前回と同一の処方内容があるか否かを確認する。ステップＳ１１の処理で、前回同一処方がない場合、ステップＳ１７からの処理を実行する。ステップＳ１１の処理で、前回同一処方がある場合、ステップＳ１２の処理で、処方箋入力処理部２１は、処方薬品情報ＤＢ１５から前回の処方箋情報（ＤＯ）を取り込む。ステップＳ１３の処理で、処方箋入力処理部２１は、取り込んだ情報から薬歴データを作成する。ステップＳ１４の処理で、帳票出力処理部２４は、作成された薬歴データから窓口帳票を出力する。
【００２５】
ステップＳ１０の処理で過去来局実績がない場合、ステップＳ１５の処理で、処方箋入力処理部２１は、患者のアンケート情報の入力処理を行う。ステップＳ１６の処理で、処方箋入力処理部２１は、入力された患者のアンケート情報を患者マスタとして処方薬品情報ＤＢ１５の患者マスタＤＢ２００へ格納する。ステップＳ１７の処理で、処方箋入力処理部２１は、処方箋情報の入力処理を行う。ステップＳ１８の処理で、オペレータにより一行入力される処方箋情報の略称にコメント情報が存在するか否かが確認される。
【００２６】
ステップＳ１８の処理で、コメント情報が存在すると確認された場合、ステップＳ１９の処理で、オペレータによりレセプトデータにコメント出力が必要か否かが確認される。ステップＳ１９の処理で、レセプトデータにコメント出力が必要であると確認された場合、ステップＳ２０の処理で、コメントの略称入力の際にコメントを識別する識別子（＊）とコメント出力ありを識別する識別子（＋）を含む「＊＋コメント内容」が入力される。ステップＳ２１の処理で、処方箋入力処理部２１は、コメントを含む薬歴データを作成する。ステップＳ２２の処理で、処方箋入力処理部２１は、コメント入力情報に基づいて画面表示するデータを作成する。ステップＳ１９の処理で、レセプトデータにコメント出力が必要でないと確認された場合、ステップＳ２３の処理で、コメントの略称入力の際に、コメントを識別する識別子（＊）とコメント出力なしを識別する識別子（−）を含む「＊−コメント内容」が入力され、その後、ステップＳ２２の処理が実行される。また、ステップＳ１８の処理で、コメント情報が存在しない場合、ステップＳ１４の処理で、帳票出力処理部２４は、作成された薬歴データから窓口帳票を出力する。
【００２７】
このように、処方箋入力支援処理においてコメントの略称入力の際にコメントを識別する識別子（＊）とレセプトへのコメント出力あり（＋）、なし（−）を識別する識別子を入力することにより、コメントの略称の入力で調剤システム２０の画面にコメントを表示することができると共に、レセプト作成時にコメント出力の有無を判断することができる。
【００２８】
次に、調剤システム２０で処方箋情報の略称を入力し、処方箋情報が画面表示される例を説明する。図３は、処方箋入力支援処理において表示される一行入力時の画面と明細表示画面を示す図である。図３（Ａ）に示す画面３００は、処方箋情報の略称が一行入力された際の画面を示しており、図３（Ｂ）に示す画面３１０は、一行入力に対応する処方箋情報の明細を表示した画面を示している。図３（Ａ）に示す画面３００には、患者に関する情報を表示する表示域３０１と、病院に関する情報を表示する表示域３０２と、処方箋情報の明細を表示する明細表示域３０３と、処方箋情報の略称を入力する一行入力エリア３０４とが表示される。表示域３０１には、処方日、患者氏名、調剤日、患者コードが表示される。表示域３０２には、処方箋の受付番号、年月日、最終来局日、医師コード、医師名、医療機関コード、医療機関名が表示される。
【００２９】
一行入力エリア３０４には、処方箋情報の薬品、該薬品の分量、薬品の服用方法又は使用方法、コメント情報の略称が一行で入力される。例えば、「アスハ  ３  メシコ  ３  ＊−セキ  ／２２  ３  モヒラ  １０  ／＊−アシ  ＊＋ウデ」が一行入力されている。表示部３０５、３０６に示すように、薬品と数量の後にコメントの記載がある場合、コメントを識別するための識別子（＊）と、レセプトへのコメント出力の有無を識別する識別子（＋、−）と、コメントの略称が入力されている。尚、表示部３０６「／」の後ろの服用方法は、省略可能である。また、「アスハ  ３  メシコ  ３」の服用方法（分三毎食後を示すコード「／２２」）と日数（３日分）が同じため、表示部３０７に示すように後方にまとめて「／２２  ３」が入力される。一行入力エリア３０４に処方箋情報の略称入力が完了した後、エンターキーが入力されると、処方箋情報の明細が表示された図３（Ｂ）に示す画面３１０が表示される。
【００３０】
図３（Ｂ）に示す画面３１０には、患者に関する情報を表示する表示域３１１と、病院に関する情報を表示する表示域３１２と、処方箋情報の明細を表示する明細表示域３１３と、クリアされた一行入力エリア３２０とが表示される。この一行入力エリア３２０は、一行入力エリア３０４に入力された内容を明細表示域３１３に展開後、表示内容がクリアされる。明細表示域３１３には、例えば、薬品コード「１５−１」、薬品名「メジコン散」、分量「３ｇ」と、表示域３１４にその薬品に対して「コメント−  咳止め」と、用法コード「／１−０２２」用法「内服  分三毎食後」、日数「３日分」が表示される。また、表示域３１５には、「コメントー  足に塗る」と「コメント＋  腕に塗る」が表示される。したがって、一行入力エリア３０４の略称の入力のみで、その略称に対応する処方箋情報を明細表示域に表示することができる。
【００３１】
次に、図３（Ａ）の画面３００の一行入力エリア３０４に入力された略称の薬品を特定するために表示される薬品検索画面について説明する。図４は、一行入力時に薬品のカナが複数存在した場合に表示される薬品検索画面を示す図である。図４の薬品検索画面３３０は、図３（Ａ）の画面３００の一行入力エリア３０４に入力された略称「アス」に対して、複数の薬品が存在するため、そのうちの一つを特定するために表示される薬品検索画面である。薬品検索画面３３０には、抽出された複数の各薬品を識別するために薬品名称、単位名称、剤型、薬価が表示される。ここで、薬品名称「アスパラＫ錠」、「アスパラＫ散」が表示され、表示部３３１の「アスパラＫ散」を選択すると、図３（Ｂ）の画面３１０の明細表示域３１３に示すように「アスパラＫ散」が表示される。
【００３２】
次に、図３（Ａ）の画面３００の一行入力エリア３０４に入力された略称のコメントを特定するために表示されるコメント検索画面について説明する。図５は、一行入力時にコメントカナが複数存在した場合に表示されるコメント検索画面を示す図である。図５（Ａ）に示す画面３４０は、一行入力されたコメントの略称「アシ」に該当するコメントの一覧が表示されている。画面３４０には、レセプトへのコメント出力を識別するためのパターン「１０」と、入力された略称カナ「アシ」と、カナに対するコメント一覧「足に塗る、足に貼る、右足首に貼る、左足に塗る、足」が表示される。ここで、表示部３４１の「足に塗る」を選択すると、図３（Ｂ）の画面３１０の表示域３１５に示すように「足に塗る」が表示される。
【００３３】
図５（Ｂ）に示す画面３５０は、一行入力されたコメントの略称「ウデ」に該当するコメントの一覧が表示されている。画面３５０には、パターン「１０」と、入力された略称カナ「ウデ」と、カナに対するコメント一覧「腕に塗る、腕に貼る、腕」が表示される。ここで、表示部３５１の「腕に塗る」を選択すると、図３（Ｂ）の画面３１０の表示域３１５に示すように「腕に塗る」が表示される。尚、一行入力中に「＊＋」又は「＊−」など識別子のみが入力されている場合、コメントマスタＤＢ２６０を全て検索して一覧表示することも可能である。
【００３４】
次に、調剤システム２０で入力、作成処理される処方箋入力データ例と、その入力データに基づいて生成されるレセプトデータ例について説明する。図６は、処方箋入力データ例及びレセプトデータ例を示す図である。図６（Ａ）には処方箋入力データイメージ４００を示し、図６（Ｂ）にはレセプトデータイメージ４１０を示している。図６（Ａ）に示す処方箋入力データイメージ４００では、所定の調剤日において、薬品毎に調剤番号が割り振られる。この処方箋入力データイメージ４００は、薬品毎に薬品コード番号、薬品名、コメント、レセプトへのコメント出力あり、なしを示す識別子（＋、−）、服用方法と日数を示している。この処方箋入力データイメージ４００に基づいて、作成されたレセプトデータが図６（Ｂ）に示すレセプトデータイメージ４１０となる。レセプトデータイメージ４１０は、服用方法と日数が同じ薬品についてまとめられ、代表の薬品の調剤番号が示されている。例えば、調剤番号１には、薬品コード「１」、薬品名「Ａ薬」と、薬品コード「２」、薬品名「Ｂ薬」と、Ｂ薬のコメント（＋）「○○○○」と、服用方法と日数「分３毎食後  １４日分」が示されている。このように、処方箋入力データに基づいてレセプトデータが作成され、処方箋入力データ、レセプトデータが処方薬品情報ＤＢ１５で管理される。
【００３５】
次に、図６に示す処方箋入力データ、レセプトデータの例について説明する。図７は、処方箋入力及びレセプトデータ作成時に生成されるテーブルを示す図である。図７（Ａ）に示すテーブル２２１は、薬歴データＤＢ２２０に格納されるテーブルであり、図７（Ｂ）に示すテーブル２５１は、コメントデータＤＢ２５０に格納されるテーブルである。図７（Ａ）に示すテーブル２２１には、調剤年月日、調剤番号、イメージ区分、調剤コメント等が格納されている。イメージ区分には、「０」、「１」、「２」が格納され、「０」で薬歴、即ち薬歴とレセプトイメージが同一であることを示し、「１」で薬歴イメージを示し、「２」でレセプトイメージを示している。調剤コメントには、「０」、「１」、「２」が格納され、「０」でコメント無しを示し、「１」でコメント有りを示し、「２」でコメント有りを示している。尚、調剤コメントの作成について、１剤中にコメント入力の複数行の入力が可能であり、目安値として１剤中に１行でもレセプト出力有りのコメントが含まれる場合、調剤コメントに２を格納してレコードを作成する。また、１剤中に入力されたコメント全て（最大９行）がレセプト出力なしの場合、調剤コメントに１を格納してレコードを作成する。
【００３６】
図７（Ｂ）に示すテーブル２５１には、調剤年月日、調剤番号、文章行連番、コメント登録位置、文章区分、レセプトイメージ調剤番号、レセプト電算コメントコード等が格納されている。文章行連番では、同一調剤番号中に最大９行まで登録される。文章区分には、「１〜５」が格納され、「１」でレセプト摘要を示し、「２」で調剤コメントを示し、「３」服用方法を示し、「４」で１回服用量文章を示し、「５」で投与内容を示している。レセプトイメージ調剤番号には、レセプトイメージでの調剤番号が格納される。例えば、図７（Ａ）に示すレコード５（調剤番号５）が調剤コメント「２」が格納され、レセプトへのコメント出力有りであるため、図７（Ｂ）のレコード５のコメントは、レセプト出力対象となる。また、図７（Ａ）に示すレコード６（調剤番号６）には調剤コメント「１」が格納され、レセプトへのコメント出力なしであるため、図７（Ｂ）のレコード７のコメントは、レセプト出力対象となる。
【００３７】
このように、入力された処方箋情報からレセプトへのコメント出力あり、なしを示すデータを含む薬歴データ及びコメントデータを管理することにより、一行入力でコメントを入力することができると共に、レセプト請求書の作成時にコメント出力の有無を適確に反映させることができる。
【００３８】
次に、レセプト出力処理における画面遷移について説明する。図８は、一行入力時の入力形態に応じた画面遷移を示す図である。図８において、レセプト出力処理部２３により出力されるレセプト、即ちレセプト提出手段には、紙媒体で提出する手段４２０と、電子媒体で提出する手段４３０を有する。紙媒体で提出する手段４２０において、一行入力で「＊＋」が入力された場合、画面４２２が表示される。尚、星マークはカーソル位置を示し、オペレータが入力を行う。画面４２２には、レセプトへのコメント出力を識別するためのパターン「１０」と、カナ「空欄」、コメント詳細情報であるコメント種別「１紙レセ」、「全件が表示」が表示される。紙媒体で提出する手段４２０において、一行入力で「＊＋＋カナ」が入力された場合、画面４２４が表示される。画面４２４には、パターン「１０」と、カナ「ア」、コメント種別「１紙レセ」、「「ア」のカナのもの」、「全件が表示」が表示される。
【００３９】
また、電子媒体で提出する手段４３０において、一行入力で「＊＋」が入力された場合、画面４３２が表示される。画面４３２には、パターン「空欄」と、カナ「空欄」、コメント種別「全て」、「全件が表示」が表示される。電子媒体で提出する手段４３０において、一行入力で「＊＋＋カナ」が入力された場合、画面４３３が表示される。画面４３４には、パターン「１０」と、カナ「ア」、コメント種別「１紙レセ」、「「ア」のカナのもの」、「全件が表示」が表示される。
【００４０】
このように、レセプト出力処理において、紙媒体、電子媒体で提出する手段に応じてコメント出力の有無を一行入力された識別子により判断することができる。
【００４１】
次に、図３（Ａ）に示す画面３００により入力が完了されるまでのデータ遷移について説明する。図９は、処方箋入力支援処理において明細表示画面が表示された際のデータ遷移のテーブルを示す図である。図９（Ａ）に示すテーブル２０１は、患者マスタＤＢ２００に格納されるテーブルを示し、図９（Ｂ）に示すテーブル２４１は、医療機関マスタＤＢ２４０に格納されるテーブルを示し、図９（Ｃ）に示すテーブル２１１は、医師マスタＤＢ２１０に格納されるテーブルである。先ず、図３（Ａ）に示す画面３００の患者に関する情報、医療機関に関する情報、医師に関する情報に基づいて、図９（Ａ）の患者に関するレコード２０２、図９（Ｂ）の医療機関に関するレコード２４１、図９（Ｃ）の医師に関するレコード２１１を参照し、図３（Ａ）に示す画面３００に全ての情報が表示される。また、患者に関する情報の抽出は、患者コード、生年月日、患者カナ、任意コードのいずれか一つの入力で可能である。図３（Ａ）に示す画面３００に表示された患者、医療機関、医師に関する情報と、一行入力で展開表示された処方箋情報とに基づいて、薬歴データ（来局情報データ、用法データ、処方データ）が生成され、薬歴データＤＢ２２０に格納される。
【００４２】
次に、処方箋入力支援処理において生成される薬歴データ（来局情報データ、用法データ、処方データ）について説明する。図１０は、処方箋入力支援処理において薬歴データＤＢに格納されるテーブルを示す図である。図１０に示すテーブル２２２、２２３、２２４は、それぞれ処方箋入力処理後で生成される薬歴データ（来局情報データ、用法データ、処方データ）を示し、薬歴データＤＢ２２０に格納されるテーブルである。図１０（Ａ）に示す薬歴データ（来局情報データ）のテーブル２２２には、入力された処方箋情報が患者毎に格納されており、例えば、店舗コード、調剤年月、患者コード、患者保険区分、調剤日、再来受付用連番、同時受付処方番号、医療機関コード、医師コード、医師名、処方日、受付番号、受付時間が格納されている。図１０（Ｂ）に示す薬歴データ（用法データ）のテーブル２２３には、薬品の用法に関する処方箋情報が格納されており、例えば、店舗コード、調剤年月、患者コード、患者保険区分、調剤日、再来受付用連番、同時受付処方番号、医療機関コード、調剤番号、剤型、処方コード、用法文言、変則服用、調剤日数回数、レセプトへのコメント出力の有無を示す調剤コメントが格納されている。図１０（Ｃ）に示す薬歴データ（処方データ）のテーブル２２４には、薬品の用法に関する処方箋情報が格納されており、例えば、店舗コード、処方コード、枝番、薬品コード１、薬品コード１枝番、薬品使用量１、薬品コード２、薬品コード２枝番、薬品使用量２、薬品コード３、薬品コード３枝番、薬品使用量３等が格納されている。
【００４３】
次に、処方箋入力支援処理において生成されるコメントデータについて説明する。図１１は、処方箋入力支援処理においてコメントデータＤＢに格納されるテーブルを示す図である。図１１に示すコメントデータのテーブル２５２は、コメントデータＤＢ２５０に格納されるテーブルである。テーブル２５２には、コメントに関するコメント情報が格納されており、例えば、店舗コード、調剤年月、患者コード、患者保険区分、医療機関コード、調剤日、再来受付用連番、同時受付処方番号、調剤番号、文章行連番、コメント登録位置、文章内容などが格納されている。
【００４４】
このように、入力された処方箋情報からレセプトへのコメント出力あり、なしを示すデータを含む薬歴データ及びコメントデータを管理することにより、一行入力でコメントを入力することができると共に、レセプト請求書の作成時にコメント出力の有無を適確に反映させることができる。
【００４５】
次に、第１実施例に係る処方箋入力支援処理で用いられるコメントマスタデータについて説明する。図１２は、本発明の第１実施例に係るコメントマスタＤＢに格納されるテーブルを示す図である。図１２に示すテーブル２６１は、コメントマスタＤＢ２６０に格納され、調剤システム２０のオペレータが、レセプトへのコメント出力の有無を示す識別子（＋、−）を入力する場合のコメントマスタデータを示している。例えば、テーブル２６１には、コメントコード、コメントの略称であるコメントカナ、コメントの内容とが格納されている。
【００４６】
次に、第２実施例に係る処方箋入力支援処理で用いられるコメントマスタデータについて説明する。図１３は、本発明の第２実施例に係るコメントマスタＤＢに格納されるテーブルを示す図である。図１３に示すテーブル２６２は、コメントマスタＤＢ２６０に格納され、調剤システム２０により自動でレセプトへのコメント出力の有無を判断するためのコメントマスタデータを示している。例えば、テーブル２６２には、コメントコード、コメントの略称であるコメントカナ、コメントの内容、レセプトへのコメント出力を判断する識別子を格納するレセ印字区分とが格納されている。
【００４７】
このように、コメントマスタＤＢ２６０へレセプトへのコメント出力の有無を判断する識別子を格納することによりオペレータが識別子を入力することなく自動でレセプトへのコメント出力の有無を判断することができる。
【００４８】
従って、本発明の処方箋入力支援プログラムにおいて、処方箋に記載された複数の処方箋情報の略称を示す略称情報を画面の一行入力エリア（一行入力領域）に入力し、入力された略称情報と、処方薬品情報ＤＢ１５とに基づいて、略称情報に対応する処方箋情報を抽出し、調剤システム２０の画面の明細表示域（処方箋表示領域）に展開表示することにより、処方箋情報の入力作業の省力化を図り、コメントを含む処方箋情報の略称の入力のみで適確な処方薬品情報を画面に展開表示することができると共に、レセプト請求書へのコメントの記載の有無を判断することができる。
（付記１）  医療機関から発行された処方箋に記載された処方箋情報に応じて、患者に提供する薬品に関する処方薬品情報が格納された処方薬品情報データベースを有する処方箋入力支援装置での処理をコンピュータに行わせるための処方箋入力支援プログラムであって、
上記処方箋に記載された複数の処方箋情報の略称を一行で示した略称情報を画面の一行入力領域から取得する取得手順と、
上記取得手順により取得した上記略称情報と、上記処方薬品情報データベースとに基づいて、上記略称情報に対応する処方箋情報を抽出する抽出手順と、
上記抽出手順により抽出された上記処方箋情報を上記画面の処方箋表示領域に展開表示する展開表示手順とを有することを特徴とする処方箋入力支援プログラム。
（付記２）  上記展開表示手順により展開表示された上記処方箋情報に基づいて、上記処方箋情報のうち必要な上記処方箋に対する注意事項を示すコメント情報を含むレセプトデータを作成するレセプトデータ作成手順とを有する付記１記載の処方箋入力支援プログラム。
（付記３）  上記略称情報は、上記処方箋情報の薬品、該薬品の分量、上記薬品の服用方法又は使用方法、上記コメント情報の略称であることを特徴とする付記１又は２記載の処方箋入力支援プログラム。
（付記４）  上記取得手順は、上記一行入力領域から取得した略称情報間の識別子により上記服用方法又は使用方法、或は上記コメント情報であるか否かを識別する識別手順を有することを特徴とする付記２又は３記載の処方箋入力支援プログラム。
（付記５）  上記識別手順は、上記コメント情報であると判断したとき、上記識別子を含む文字列により上記コメント情報のレセプト請求書への記載が必要であるか否かを識別することを特徴とする付記４記載の処方箋入力支援プログラム。
（付記６）  上記処方薬品情報データベースは、上記コメント情報と、該コメント情報毎にレセプト請求書への記載の有無を示すフラグとを格納したコメントデータベースを有し、
上記抽出手順は、上記略称情報と対応するコメント情報を抽出し、
上記表示手順は、上記コメント情報と、該コメント情報に対するレセプト請求書への記載の有無を示す識別子とを上記処方箋表示領域に表示することを特徴とする付記２乃至５いずれか一項記載の処方箋入力支援プログラム。
（付記７）  医療機関から発行された処方箋に記載された処方箋情報に応じて、患者に提供する薬品に関する処方薬品情報が格納された処方薬品情報データベースを有する処方箋入力支援装置での処理をコンピュータに行わせるための処方箋入力支援プログラムを格納した記録媒体であって、
上記処方箋に記載された複数の処方箋情報の略称を一行で示した略称情報を画面の一行入力領域から取得する取得手順と、
上記取得手順により取得した上記略称情報と、上記処方薬品情報データベースとに基づいて、上記略称情報に対応する処方箋情報を抽出する抽出手順と、
上記抽出手順により抽出された上記処方箋情報を上記画面の処方箋表示領域に展開表示する展開表示手順とを有することを特徴とする記録媒体。
（付記８）  医療機関から発行された処方箋に記載された処方箋情報を入力する処方箋入力支援装置での処理をコンピュータに行わせるための処方箋入力支援装置であって、
上記処方箋情報に応じて患者に提供する薬品に関する処方薬品情報が格納された処方薬品情報データベースと、
上記処方箋に記載された複数の処方箋情報の略称を一行で示した略称情報を画面の一行入力領域から取得する取得手段と、
上記取得手段により取得した上記略称情報と、上記処方薬品情報データベースとに基づいて、上記略称情報に対応する処方箋情報を抽出する抽出手段と、
上記抽出手段により抽出された上記処方箋情報を上記画面の処方箋表示領域に展開表示する展開表示手段と、
上記展開表示手段により展開表示された上記処方箋情報に基づいて、上記処方箋情報のうち必要な上記処方箋に対する注意事項を示すコメントを含むレセプトデータを作成するレセプトデータ作成手段とを有することを特徴とする処方箋入力支援装置。
【図面の簡単な説明】
【００４９】
【図１】本発明の第１実施例に係る処方箋入力支援プログラムを実行するシステム構成図である。
【図２】処方箋入力支援処理のフローチャートを示す図である。
【図３】処方箋入力支援処理において表示される一行入力時の画面と明細表示画面を示す図である。
【図４】一行入力時に薬品のカナが複数存在した場合に表示される薬品検索画面を示す図である。
【図５】一行入力時にコメントカナが複数存在した場合に表示されるコメント検索画面を示す図である。
【図６】処方箋入力データ例及びレセプトデータ例を示す図である。
【図７】処方箋入力及びレセプトデータ作成時に生成されるテーブルを示す図である。
【図８】一行入力時の入力形態に応じた画面遷移を示す図である。
【図９】処方箋入力支援処理において明細表示画面が表示される際のデータ遷移のテーブルを示す図である。
【図１０】処方箋入力支援処理後に薬歴データＤＢに格納されるテーブルを示す図である。
【図１１】処方箋入力支援処理後にコメントデータＤＢに格納されるテーブルを示す図である。
【図１２】本発明の第１実施例に係るコメントマスタＤＢに格納されるテーブルを示す図である。
【図１３】本発明の第２実施例に係るコメントマスタＤＢに格納されるテーブルを示す図である。
【符号の説明】
【００５０】
１          処方箋入力支援システム
２          薬局
５          患者
１０        医療機関
１１        処方箋
１５        処方薬品情報
２０        調剤システム
２１        処方箋入力処理部
２２        レセプト前処理部処理部
２３        レセプト出力処理部
２４        帳票出力処理部
２５        窓口帳票
３０        支払基金／国保連合会
１５０      レセプトＤＢ
２００      患者マスタＤＢ
２１０      医師マスタ
２２０      薬歴データＤＢ
２３０      患者保険マスタＤＢ
２４０      医療機関マスタＤＢ
２５０      コメントデータＤＢ
２６０      コメントマスタＤＢ
２７０      レセプト用患者データＤＢ
２８０      レセプト用データＤＢ
【図１】
2005107889.tif 000003
【図２】
2005107889.tif 000004
【図３】
2005107889.tif 000005
【図４】
2005107889.tif 000006
【図５】
2005107889.tif 000007
【図６】
2005107889.tif 000008
【図７】
2005107889.tif 000009
【図８】
2005107889.tif 000010
【図９】
2005107889.tif 000011
【図１０】
2005107889.tif 000012
【図１１】
2005107889.tif 000013
【図１２】
2005107889.tif 000014
【図１３】
2005107889.tif 000015